(57)【特許請求の範囲】
【請求項１】
排気ダクトに設けられる防火用ダンパ(１００）であって、
開口部（１０）を形成する枠体（１０１，１０２，１０３，１０４）と、
前記枠体に設けられ、前記開口部を開状態とする第１の位置と、前記開口部を閉状態とする第２の位置とに状態を変化させることが可能な開口部開閉手段（１１０，１２０，１３０，１４０、）と、
前記開口部開閉手段が第２の位置となるように前記開口部開閉手段に付勢力を与える付勢力付与手段（１１４，１２４，１３４，１４４）と、前記付勢力付与手段に対抗して、前記開口部開閉手段に第１の位置を維持さるための開状態維持手段（４００）と、
を備え、
前記開状態維持手段は、所定温度に達すると液状となる共晶ハンダで相互に接合される燐青銅からなる第１プレート（４０２）と燐青銅からなる第２プレート（４０４）とを含み、
前記第１プレートは前記枠体に支持され、前記第２プレートは前記開口部開閉手段に係合することにより、前記開口部開閉手段が第１の位置を維持し、
前記開状態維持手段が所定温度に達した場合、前記共晶ハンダが液状となることで前記第１プレートと前記第２プレートとが分離し、前記第２プレートの前記開口部開閉手段への係合が解除され、前記付勢力付与手段により、前記開口部開閉手段が、前記開口部を閉状態とする第２の位置に状態が変化し、
前記開口部開閉手段は、並列に配置される複数の羽根部材（１１０，１２０，１３０，１４０、）を含み、
前記開状態維持手段は、第１の位置において、前記羽根部材の前記開口部平面に対する起上がり角度を調節することにより、前記開口部を通過する風量を調節するため、前記枠体に設けられる羽根角度調節機構をさらに含み、
前記羽根角度調節機構は、
前記羽根部材（１３０）に対して平行に延び一端側に前記第１プレートが取付けられる連結軸（４１３）と、
前記連結軸（４１３）の他端に固定され、スリット（４２４ａ）が設けられた調節プレート（４２４）と、
前記枠体の内面に取り付けられ、複数の角度調節タップ（４２０ａ）が設けられた調節ベース（４２０）と、
前記スリット（４２４ａ）に挿入され、前記角度調節タップ（４２０ａ）の螺合する調節ボルト（４２２）と、を有し、
前記第１プレートおよび前記調節プレートは、前記連結軸の周りに前記連結軸とともに一体的に回転し、前記調節ベースに設けられた、１つの前記角度調節タップに前記調節ボルトを螺合することにより、前記調節プレートを固定するとともに前記第１のプレートの角度を規定して、前記羽根部材の前記開口部平面に対する起上がり角度が調節され、
前記第２プレートは、前記羽根部材の長手側外縁（１３０ａ）に係合し、
前記第１プレートの前記羽根角度調節機構への連結部分には、前記第１プレートから前記羽根角度調節機構への放熱を避けるため、放熱阻止部材（４１１）が設けられ、
前記第１プレートの前記第２プレートへの接合部の前記羽根部材に対向する先端部は、前記羽根部材から遠ざかる位置に設けられ、
前記第２プレートが係合する前記羽根部材の長手側外縁には、前記第２プレートとの接触面積を小さくするための凹部（１３０ｃ）が設けられ、
前記第１プレートまたは前記第２プレートのいずれか一方のプレートには、他方のプレートの共晶ハンダによる接合を容易にするため、縁部に側壁（４０４ｃ、４０４ｄ）が設けられ、
前記枠体は、前記枠体に対して取外し可能であり、前記排気ダクト側に取付けられる取付プレート（２０１，２０２）を含む、防火用ダンパ。
【発明の詳細な説明】
【０００１】
【発明の属する技術分野】
この発明は防火用ダンパに関し、より特定的には、作動感度が良好な防火用ダンパの構造に関する。
【０００２】
【従来の技術】
厨房フードから建物内を連通する排気ダクトを介して、建物への延焼による火災の発生を防止するため、従来から、排気ダクトに防火用ダンパが設けられる。この防火用ダンパは、火災等によりセンサ部が所定温度に達した場合、防火用ダンパに設けられた羽根部材を閉じ、排気ダクトを閉塞することにより、建物への延焼を防止しようとするものである。
【０００３】
【発明が解決しようとする課題】
ここで、従来から用いられている防火用ダンパの場合、バイメタルにより温度検出を行い、防火用ダンパを作動させる機構が採用されている。しかし、バイメタルによる温度検出は、所定温度に達してから作動するまでの時間が長いため、その間に建物へ延焼してしまうおそれがある。
【０００４】
したがって、この発明の目的は、温度変化に対し敏感に反応して、短時間に防火用ダンパを作動させることのできる防火用ダンパを提供することにある。
【０００５】
【課題を解決するための手段】
この発明に基づいた防火用ダンパにおいては、開口部を形成する枠体と、この枠体に設けられ、開口部を開状態とする第１の位置と、開口部を閉状態とする第２の位置とに状態を変化させることが可能な開口部開閉手段と、開口部開閉手段が第２の位置となるように開口部開閉手段に付勢力を与える付勢力付与手段と、付勢力付与手段に対抗して、開口部開閉手段に第１の位置を維持させるための開状態維持手段とを備えている。さらに、開状態維持手段は、所定温度に達すると液状となるハンダで相互に接合される第１プレートと第２プレートとを含んでいる。
【０００６】
ここで、第１プレートは枠体に支持され、第２プレートは開口部開閉手段に係合することにより、開口部開閉手段が第１の位置を維持し、排気ダクトからの排気が可能になる。また、火災等により開状態維持手段が所定温度に達した場合、ハンダが瞬時に液状となることで第１プレートと第２プレートとがただちに分離し、第２プレートの開口部開閉手段への係合が解除する。その結果、付勢力付与手段により、開口部開閉手段が、開口部を閉状態とする第２の位置に状態が変化する。これにより、排気ダクトは、本発明に基づく防火用ダンパによって閉塞された状態となり、建物へ延焼を確実に防止することが可能になる。
【０００７】
また、上記発明をより好ましい状態で実施するために以下に示す構成が採用される。
【０００８】
好ましくは、ハンダには、共晶ハンダが用いられる。これにより、温度の変化に俊敏に反応して液状となり、第１プレートと第２プレートとをただちに分離させることが可能になる。
【０００９】
また、好ましくは、開口部開閉手段は、相互に並列に配置される複数の羽根部材を含み、開状態維持手段は、第１の位置において、羽根部材の開口部平面に対する起上がり角度を調節することにより、開口部を通過する風量を調節するため、枠体に設けられる羽根角度調節機構をさらに含み、第１プレートは、羽根角度調節機構に連結され、第２プレートは、羽根部材の長手側外縁に係合する。この構成を採用することにより、比較的簡単な構造で、上記発明を実現できるとともに、羽根部材の角度を調節することにより、開口部を通過する風量を容易に調節することが可能になる。
【００１０】
また、好ましくは、第１プレートの羽根角度調節機構への連結部分には、放熱阻止部材が設けられる。また、好ましくは、第１プレートの第２プレートへの接合部の羽根部材に対向する先端部は、羽根部材から遠ざかる位置に設けられる。
【００１１】
また、好ましくは、第２プレートが係合する羽根部材の長手側外縁には、第２プレートとの接触面積を小さくするための凹部が設けられる。
【００１２】
上記構成を採用することにより、第１プレートおよび第２プレートからの放熱が阻止され、第１プレートおよび第２プレートの温度変化が、実際の環境の温度変化と等しくなり、防火用ダンパの動作の信頼性を確かなものとすることが可能になる。
【００１３】
また、好ましくは、第１プレートまたは第２プレートのいずれか一方のプレートの縁部には、側壁が設けられる。この構成を採用することにより、他方のプレートのハンダによる接合を容易にするとともに、接合時のハンダの流出を防止することができる。
【００１４】
また、好ましくは、第１プレートおよび第２プレートは、燐青銅からなる。燐青銅は熱伝導率に優れているため、実際の環境の温度変化を忠実に反映することができる。また、弾性に優れているため、第２プレートの羽根部材への係合を容易に実現することができる。
【００１５】
また、好ましくは、枠体は、この枠体に対して取外し可能であり、排気ダクト側に取付けられる取付プレートを含んでいる。このように取付プレートを設けることにより、容易に防火用ダンパを排気ダクトから取外しできるため、防火用ダンパの保守、点検等の作業を簡単に実施することが可能になる。
【００１６】
【発明の実施の形態】
以下、この発明に基づいた一実施の形態における防火用ダンパ１００の構造および動作について、図を参照しながら説明する。
【００１７】
＜防火用ダンパ１００の全体構造＞
まず、本実施の形態における防火用ダンパ１００の全体構造について、図１および図２を参照して説明する。なお、図１は、本実施の形態における防火用ダンパ１００の全体斜視図であり、図２は、本実施の形態における防火用ダンパの底面図である。
【００１８】
両図を参照して、防火用ダンパ１００は、開口部１０を形成するステンレス鋼などからなるフレーム１０１，１０２，１０３，１０４を有し、さらにフレーム１０１，１０２，１０３，１０４には、同様にステンレス鋼などからなるフレームベース１０５，１０６，１０７，１０８が設けられている。このフレーム１０１，１０２，１０３，１０４、および、フレームベース１０５，１０６，１０７，１０８により枠体を構成する。
【００１９】
フレームベース１０７，１０８には、排気ダクト（図示省略）側に取付けられる取付プレート２０１，２０２が、蝶ボルト３０１，３０２，３０３，３０４により着脱可能なように設けられている。取付プレート２０１，２０２には、排気ダクト（図示省略）側への取付時に用いられる取付け孔２０１ａ，２０１ｂ，２０１ｃ，２０２ａ，２０２ｂ，２０２ｃ、および、蝶ボルト３０１，３０２，３０３，３０４が螺合するタップ孔２０１ｄ，２０１ｅ，２０２ｄ，２０２ｅが設けられている。
【００２０】
このように、取付プレート２０１，２０２を設けることにより、容易に防火用ダンパ１００を排気ダクトから取外しできるため、防火用ダンパ１００の保守、点検等の作業を簡単に実施することが可能になる。
【００２１】
フレーム１０１，１０２，１０３，１０４により形成される開口部１０には、開口部開閉手段として、相互に並列に配置される複数の羽根部材１１０，１２０，１３０，１４０が配置されている。また、フレーム１０１および羽根部材３０には、開状態維持手段４００が設けられている。なお、図１および図２は、開口部１０が羽根部材１１０，１２０，１３０，１４０によって閉じられた状態を図示している。
【００２２】
＜羽根部材１１０，１２０，１３０，１４０の開閉機構＞
次に、図３および図４を参照して、開口部開閉手段としての羽根部材１１０，１２０，１３０，１４０の開閉機構について説明する。なお、図３は、羽根部材が閉状態における、図２中Ｘ−Ｘ’線矢視断面図であり、図４は、羽根部材が開状態における、図２中Ｘ−Ｘ’線矢視断面図である。
【００２３】
両図を参照して、ステンレス鋼などからなる羽根部材１１０，１２０，１３０，１４０は、それぞれ互いに重なり合う羽根重なり外縁１１０ａ，１１０ｂ，１２０ａ，１２０ｂ，１３０ａ，１３０ｂ，１４０ａ，１４０ｂが設けられ、図３に示す状態においては、隙間なく開口部１０を閉じる。なお、羽根部材１１０の羽根重なり外縁１１０ａは、フレーム１０１とフレーム１０２との間に設けられたガイド１０２ｂに重なり、羽根部材１４０の羽根重なり外縁１４０ｂは、フレーム１０１とフレーム１０２との間に設けられたガイド１０２ｃに重なる。
【００２４】
羽根部材１１０，１２０，１３０，１４０は、それぞれ羽根支持プレート１１１，１２１，１３１，１４１を有し、この羽根支持プレート１１１，１２１，１３１，１４１は、リンクバー１５０に対してビス１１２，１２２，１３２，１４２を用いて、回動可能に連結されている。
【００２５】
それぞれ羽根支持プレート１１１，１２１，１３１，１４１は、回転軸１１３，１２３，１３３，１４３を中心として回動可能にフレーム１０２に取付けられている。回転軸１１３，１２３，１３３，１４３には、それぞれ付勢力付与手段としてのコイルバネ１１４，１２４，１３４，１４４が設けられており、コイルバネ１１４，１２４，１３４，１４４の一方のバネ端１１４ａ，１２４ａ，１３４ａ，１４４ａは、フレーム１０２に設けられたステップ部１０２ａに係合し、他方のバネ端１１４ｂ，１２４ｂ，１３４ｂ，１４４ｂは、羽根部材１１０，１２０，１３０，１４０に当接固定される。したがって、コイルバネ１１４，１２４，１３４，１４４によって、常に、羽根部材１１０，１２０，１３０，１４０を閉じる方向に付勢する力が与えられている。
【００２６】
羽根部材１１０，１２０，１３０，１４０を開ける場合には、図４に示すようにいずれかの羽根部材１１０，１２０，１３０，１４０を矢印の方向に回動させることにより、リンクバー１５０によるリンク機構により、羽根部材の開口部平面に対する起上がり角度をすべて同じに設定することができる。
【００２７】
＜開状態維持手段４００の構造＞
次に、図５〜図１１を参照して、開状態維持手段４００の構造について説明する。なお、本実施の形態においては、開状態維持手段４００が、羽根部材１１０，１２０，１３０，１４０の開口部１０平面に対する起上がり角度を調節することにより、開口部１０を通過する風量を調節するための羽根角度調節機構を含むものとする。
【００２８】
まず、図５、図６および図７を参照して、開状態維持手段４００の概略構成について説明する。なお、図５は、開状態維持手段４００の斜視図であり、図６は、羽根部材が開状態における開状態維持手段４００の側面図であり、図７は、羽根部材が開状態における開状態維持手段４００の断面図である。
【００２９】
フレーム１０１の内面には、複数の角度調節タップ４２０ａが設けられた調節ベース４２０が設けられている。角度調節タップ４２０ａには、調節ボルト４２２が螺合し、調節ボルト４２２の軸部には、調節プレート４２４に設けられたスリット４２４ａが挿入されている。
【００３０】
調節プレート４２４の一端には、羽根部材１３０に対して平行に延びる連結軸４１３が取付けられている。この連結軸４１３の一端は、羽根部材１３０にビス４１５を用いて固定される連結ベース４１４に回動可能に支持されている。
【００３１】
連結軸４１３には、この連結軸４１３とともに回動する連結プレート４１２が固定されている。また、この連結プレート４１２には、開状態維持プレート４０１がビス４１０を用いて取付けられている。
【００３２】
また、連結プレート４１２と開状態維持プレート４０１との間には、開状態維持プレート４０１により、温度変化を検知し、防火用ダンパ１００を作動させるため、実際の環境の温度変化と等しくするため、両者の接触面積を極力小さくし開状態維持プレート４０１から連結プレート４１２への熱の放熱を避けるため、放熱阻止ワッシャ４１１が設けられている。
【００３３】
また、同様の目的から、開状態維持プレート４０１が係合する羽根部材１３０の羽根重なり外縁１３０ｂには、凹部１３０ｃが設けられている（図９参照）。
【００３４】
次に、図７および図８を参照して、開状態維持プレート４０１の構造について説明する。なお、図８において、（ａ）は第１プレート４０２（後述）の全体斜視図であり、（ｂ）は第２プレート４０４（後述）の全体斜視図である。
【００３５】
開状態維持プレート４０１は、第１プレート４０２と第２プレート４０４とからなり、両者は、共晶ハンダ４０３により結合されている。なお、開状態維持プレート４０１の温度変化を実際の環境の温度変化と等しくするため、第１プレート４０２の第２プレート４０４への接合部の羽根部材１３０に対向する先端部４０２ｄは、図７に示すように、距離Ｂだけ羽根部材１３０から遠ざかる位置に設けられている。
【００３６】
第１プレート４０２は、図８（ａ）に示すように、接合プレート４０２ａと、接合プレート４０２ａから折れ曲る取付けプレート４０２ｂとを有し、この取付けプレート４０２ｂには、取付け孔４０２ｃが設けられている。
【００３７】
一方、第２プレート４０４は、図８（ｂ）に示すように、接合プレート４０４ａと、羽根重なり外縁１３０ｂに係合する、断面が略Ｖ字状の係合プレート４０４ｂと、接合プレート４０４ａの縁部から立上がる側壁４０４ｃ，４０４ｄとを有している。
【００３８】
第１プレート４０２および第２プレート４０４は、実際の環境の温度変化を忠実に反映することができ、また、羽根重なり外縁１３０ｂへの係合を容易に実現することができる観点から、熱伝導率に優れ、かつ、弾性に優れている燐青銅が用いられている。
【００３９】
また、第２プレート４０４に側壁４０４ｃ，４０４ｄを設けることにより、第１プレート４０２の共晶ハンダ４０３による接合を容易にするとともに、接合時の共晶ハンダ４０３の流出を防止することができる。なお、第１プレート４０２および第２プレート４０４の結合に共晶ハンダ４０３を用いたのは、温度の変化に俊敏に反応して液状となり、第１プレート４０２と第２プレート４０４とをただちに分離させることが可能だからである。
【００４０】
次に、図１０および図１１を参照して、羽根角度の調節について説明する。なお、図１０（ａ）は羽根角度調節機構による角度調節状態を示す第１の図であり、図１０（ｂ）は図１０（ａ）の場合の羽根部材１３０（リンク機構により他の羽根部材１１０，１２０，１４０も同じ）の開き角度を示す図であり、図１１（ａ）は羽根角度調節機構による角度調節状態を示す第２の図であり、図１１（ｂ）は図１１（ａ）の場合の羽根部材１３０（リンク機構により他の羽根部材１１０，１２０，１４０も同じ）の開き角度を示す図である。
【００４１】
本実施の形態においては、調節ベース４２０には、角度調節タップ４２０ａは、４つ設けられている。したがって、羽根部材１３０（リンク機構により他の羽根部材１１０，１２０，１４０も同じ）の開き角度は、４段階に調節可能となっている。
【００４２】
図１０（ａ）に示す位置に調節ボルト４２２を固定した場合、第２プレート４０４の係合プレート４０４ｂと羽根部材１３０の羽根重なり外縁１３０ｂとの間隔は最大となる。したがって、閉状態から開状態への羽根部材１３０（リンク機構により他の羽根部材１１０，１２０，１４０も同じ）の移動量は最大とるため、羽根部材１３０（リンク機構により他の羽根部材１１０，１２０，１４０も同じ）は、図１０（ｂ）に示すように最も開いた状態となる。
【００４３】
また、図１１（ａ）に示す位置に調節ボルト４２２を固定した場合、第２プレート４０４の係合プレート４０４ｂと羽根部材１３０の羽根重なり外縁１３０ｂとの間隔は、図１０に示す場合よりも小さい。したがって、閉状態から開状態への羽根部材１３０（リンク機構により他の羽根部材１１０，１２０，１４０も同じ）の移動量は最小から２番目となるため、羽根部材１３０（リンク機構により他の羽根部材１１０，１２０，１４０も同じ）は、図１１（ｂ）に示すように略４５°程度傾いた状態となる。
【００４４】
＜作用・効果＞
以上、本実施の形態における、防火用ダンパ１００においては、通常状態においては、開状態維持プレート４０１により、羽根部材１３０（リンク機構により他の羽根部材１１０，１２０，１４０も同じ）が、開状態が維持されている。
【００４５】
一方、温度上昇により、開状態維持プレート４０１が所定温度以上になった場合には、共晶ハンダ４０３が俊敏に反応して液状となり、第１プレート４０２と第２プレート４０３とがただちに分離し、開状態維持プレート４０１による羽根部材１３０への係合がただちに解除される。
【００４６】
その結果、コイルバネ１３４による付勢力により、羽根部材１３０（リンク機構により他の羽根部材１１０，１２０，１４０も同じ）が、閉状態となり、開口部１０を閉じる（図３に示す状態）ことになる。
【００４７】
これにより、排気ダクトは、本発明に基づく防火用ダンパによって閉塞された状態となり、建物へ延焼を確実に防止することが可能になる。
【００４８】
＜他の実施の形態＞
なお、上記実施の形態においては、羽根部材を４枚構造としたが、羽根部材の枚数は４枚に限定されるものではなく、適宜所望の枚数が選択される。また、開状態維持手段４００を、羽根部材１３０に設ける場合を説明したが、他の羽根部材に設けてもかまわない。
【００４９】
また、開状態維持手段に羽根角度調節機構を含む構造について説明したが、それぞれ独立させた構造を採用することも可能である。
【００５０】
また、本実施の形態においては、調節ベース４２０には、角度調節タップ４２０ａを４つ設け、４段階の羽根角度調節が可能な機構ついて説明したが、４段階に限定されるものではなく、調節段階の数については、必要に応じて適宜選択されるものであり、また調節機構のない構造を採用することも可能である。
【００５１】
また、各要素を構成する材料については、適宜その機能に応じた最適な材料が選択されるべきであり、上述した実施の形態において用いた材料に限定されるものではない。したがって、第１プレート４０２と第２プレート４０４との結合に共晶ハンダを用いた場合について説明しているが、同様の機能・作用を有するものであれば共晶ハンダに限定されるものではない。
【００５２】
また、第２プレート４０４の接合プレート４０４ａの縁部に、側壁４０４ｃ，４０４ｄを設けるようにしているが、第１プレート４０２の接合プレート４０２ａの縁部に側壁を設けるようにしても構わない。
【００５３】
したがって、今回開示した実施の形態は全ての点で例示であって、制限的なものではなく、本発明の技術的範囲は、上記した説明ではなく、特許請求の範囲によって画定され、特許請求の範囲と均等の意味および範囲内でのすべての変更が含まれることが意図される。
【００５４】
【発明の効果】
この発明に基づいた防火用ダンパによれば、第１プレートは枠体に支持され、第２プレートは開口部開閉手段に係合することにより、開口部開閉手段が第１の位置を維持し、排気ダクトからの排気が可能になる。
【００５５】
また、火災等により開状態維持手段が所定温度に達した場合、ハンダが瞬時に液状となることで第１プレートと第２プレートとがただちに分離し、第２プレートの開口部開閉手段への係合が解除する。
【００５６】
その結果、付勢力付与手段により、開口部開閉手段が、開口部を閉状態とする第２の位置に状態が変化する。これにより、排気ダクトは、本発明に基づく防火用ダンパによって閉塞された状態となり、建物へ延焼を確実に防止することが可能になる。
【図面の簡単な説明】
【図１】  本実施の形態における防火用ダンパの全体斜視図である。
【図２】  本実施の形態における防火用ダンパの底面図である。
【図３】  羽根部材が閉状態における、図２中Ｘ−Ｘ’線矢視断面図である。
【図４】  羽根部材が開状態における、図２中Ｘ−Ｘ’線矢視断面図である。
【図５】  開状態維持手段４００の斜視図である。
【図６】  羽根部材が開状態における開状態維持手段４００の側面図である。
【図７】  羽根部材が開状態における開状態維持手段４００の断面図である。
【図８】  （ａ）は第１プレート４０２の全体斜視図であり、（ｂ）は第２プレート４０４の全体斜視図である。
【図９】  凹部１３０ｃを示す部分拡大図である。
【図１０】  （ａ）は羽根角度調節機構の角度調節状態を示す第１の図であり、（ｂ）は（ａ）の場合の羽根部材の開き角度を示す図である。
【図１１】  （ａ）は羽根角度調節機構の角度調節状態を示す第２の図であり、（ｂ）は（ａ）の場合の羽根部材の開き角度を示す図である。
【符号の説明】
１０  開口部、１００  防火用ダンパ、１０１，１０２，１０３，１０４  フレーム、１０２ａ  ステップ部、１０２ｂ，１０２ｃ  ガイド、１０５，１０７，１０８，１０９  フレームベース、１１０，１２０，１３０，１４０  羽根部材、１１０ａ，１１０ｂ，１２０ａ，１２０ｂ，１３０ａ，１３０ｂ，１４０ａ，１４０ｂ  羽根重なり外縁、１１１，１２１，１３１，１４１  羽根支持プレート、１１２，１２２，１３２，１４２  連結ビス、１１３，１２３，１３３，１４３  回転軸、１１４，１２４，１３４，１４４  コイルバネ、１１４ａ，１１４ｂ，１２４ａ，１２４ｂ，１３４ａ，１３４ｂ，１４４ａ，１４４ｂ  バネ端、１３０ｃ  凹部、１５０  リンクバー、２０１，２０２  取付けプレート、２０１ａ，２０１ｂ，２０１ｃ，２０２ａ，２０２ｂ，２０２ｃ  取付け孔、２０１ｄ，２０１ｅ，２０２ｄ、２０２ｅ  タップ孔、３０１，３０２，３０３，３０４  蝶ボルト、４００  開状態維持手段、４０１  開状態維持プレート、４０２  第１プレート、４０２ａ  接合プレート、４０２ｂ  取付けプレート、４０２ｃ  取付け孔、４０３  共晶ハンダ、４０４  第２プレート、４０４ａ  接合プレート、４０４ｂ  係合プレート、４０４ｃ，４０４ｄ  側壁、４１０  ビス、４１１  放熱阻止ワッシャ、４１２  連結プレート、４１３  連結軸、４１４  連結ベース、４１５  ビス、４２０  調節ベース、４２０ａ  角度調節タップ、４２２  調節ボルト、４２４  調節プレート、４２４ａ  スリット。
【図１】
0004343343.tif 000002
【図２】
0004343343.tif 000003
【図３】
0004343343.tif 000004
【図４】
0004343343.tif 000005
【図５】
0004343343.tif 000006
【図６】
0004343343.tif 000007
【図７】
0004343343.tif 000008
【図８】
0004343343.tif 000009
【図９】
0004343343.tif 000010
【図１０】
0004343343.tif 000011
【図１１】
0004343343.tif 000012